(57)【要約】【課題】重量軽減や施工コスト削減が可能な低温貯槽の吊りデッキ構造を提供する。【解決手段】低温貯槽の屋根内面から吊り下げ部材により吊り下げられ、水平に保持された吊りデッキであって、中心部から周辺部に向かって設けられた複数の放射状床部と、中心部と同心円状に設けられた複数の環状床部と、前記放射状床部および環状床部により囲まれる扇状領域に設けられた多孔床部とを備え、前記放射状床部、環状床部および多孔床部の上面全体に保冷材を敷設してなることを特徴とする低温貯槽の吊りデッキ構造である。【選択図】　　　　　図１
2004068931.tif 000002
【特許請求の範囲】
【請求項１】
低温貯槽の屋根内面から吊り下げ部材により吊り下げられ、水平に保持された吊りデッキであって、中心部から周辺部に向かって設けられた複数の放射状床部と、中心部と同心円状に設けられた複数の環状床部と、前記放射状床部および環状床部により囲まれる扇状領域に設けられた多孔床部とを備え、前記放射状床部、環状床部および多孔床部の上面全体に保冷材を敷設してなることを特徴とする低温貯槽の吊りデッキ構造。
【請求項２】
放射状床部および環状床部がアルミニウム製部材からなり、多孔床部がステンレス製部材からなることを特徴とする請求項１に記載の低温貯槽の吊りデッキ構造。
【発明の詳細な説明】
【０００１】
【発明の属する技術分野】
本発明は、低温貯槽の屋根部の保冷構造に関する。
【０００２】
【従来の技術】
一般に、ＬＮＧやＬＰＧ用の貯槽として多く使用されている低温（地下式）貯槽は、図３に示すように、地中に設けられたコンクリート製の躯体１の内面に保冷材層２を取り付け、さらにその内面を液密性と気密性を有するＳＵＳ３０４等の金属製のメンブレン３で被覆して側壁部および底部を構成し、その側壁部の上部に常温用鋼板製のドーム型屋根４を設け、この屋根４の内面から吊り下げ部材５を用いてアルミニウム製の吊りデッキ６を水平に吊り下げ、その吊りデッキ６の上面全体にグラスウール等の保冷材層７を設けた構造が採用されている。
【０００３】
【発明が解決しようとする課題】
上記のような従来の構造では、吊りデッキ６は、アルミニウム製の骨材と床材とからなり、貯槽の上部全体を覆う円盤状のものであった。
【０００４】
しかしながら、この吊りデッキ６は、保冷材層７を水平に保持できるものであればよいので、上記のような従来の構造のものには、重量軽減や施工コスト削減の余地があった。
【０００５】
本発明は、上述のような問題点の解決を図ろうとするもので、重量軽減や施工コスト削減が可能な低温貯槽の吊りデッキ構造を提供することを目的としている。
【０００６】
【課題を解決するための手段】
このような目的を達成するため、本発明は次のような構成を有する。
（１）低温貯槽の屋根内面から吊り下げ部材により吊り下げられ、水平に保持された吊りデッキであって、中心部から周辺部に向かって設けられた複数の放射状床部と、中心部と同心円状に設けられた複数の環状床部と、前記放射状床部および環状床部により囲まれる扇状領域に設けられた多孔床部とを備え、前記放射状床部、環状床部および多孔床部の上面全体に保冷材を敷設してなることを特徴とする低温貯槽の吊りデッキ構造。
（２）放射状床部および環状床部がアルミニウム製部材からなり、多孔床部がステンレス製部材からなることを特徴とする前項（１）に記載の低温貯槽の吊りデッキ構造。
【０００７】
【発明の実施の形態】
以下、本発明の実施形態を図面に基づいて説明する。
【０００８】
図１は、本発明による低温貯槽の吊りデッキ構造の一実施形態を示す平面図であり、図２は、図１のＩＩ−ＩＩ線に沿う断面図である。
【０００９】
図１および図２において、１は、低温貯槽のコンクリート製躯体、４は、ドーム型屋根、５は、吊り下げ部材、６ａは、本発明による吊りデッキを構成する放射状床部、６ｂは、本発明による吊りデッキを構成する環状床部、６ｃは、本発明による吊りデッキを構成する多孔床部、７は、保冷材である。
【００１０】
前記吊り下げ部材５は、低温用金属材料等からなり、長さの調節が可能なテンションロッド等により構成されている。この吊り下げ部材５は、その上端部がドーム型屋根４の内面に取り付けられ、その下端部が吊りデッキの上面に取り付けられて、吊りデッキを水平に保持する機能を有する。
【００１１】
前記放射状床部６ａは、本発明による吊りデッキの一部を構成するものであり、吊りデッキの中心部から周辺部に向かって放射状に設けられた複数（この実施形態では４本）の床張り部である。この放射状床部６ａは、アルミニウム等の低温用金属材料等からなっている。
【００１２】
前記環状床部６ｂは、本発明による吊りデッキの一部を構成するものであり、吊りデッキの中心部と同心円状に設けられた複数（この実施形態では中心部と周辺部の２輪）の床張り部である。この環状床部６ｂは、アルミニウム等の低温用金属材料等からなっている。
【００１３】
前記多孔床部６ｃは、本発明による吊りデッキの一部を構成するものであり、前記放射状床部６ａおよび環状床部６ｂにより囲まれる扇状領域に設けられている。この多孔床部６ｃは、強度確保のためステンレス等の低温用金属材料等からなっており、適宜桁材等により補強された金網、エキスパンドメタル、グレーチング、パンチングメタル等や、棒材等を組み合わせた井桁状の骨組みなど、放射状床部６ａや環状床部６ｂに比べて単位面積当たりの重量が軽減されたものであれば、各種の形状のものが適用可能である。
【００１４】
前記保冷材７は、前記放射状床部６ａと、前記環状床部６ｂと、前記多孔床部６ｃとからなる本実施形態の吊りデッキの上面全体に敷設されるものであり、適切な厚さを有するグラスウール等からなっている。
【００１５】
本発明の吊りデッキにおいて、前記放射状床部６ａおよび前記環状床部６ｂは、施工時およびメンテナンス時の歩廊としても用いられるが、前記多孔床部６ｃは、上載荷重として基本的には保冷材７のみを考慮したものであり、従来のような全面が床張り部からなる円盤状の吊りデッキと比較して、その面積の大部分が多孔床部６ｃに置き換えられたことにより、大幅に重量が軽減されるとともに施工コストも削減されている。
【００１６】
なお、上述の実施形態においては、従来低温貯槽の上部の全面に、円盤状に構成されていた吊りデッキの床張り部を、放射状床部６ａと環状床部６ｂとに限定し、それ以外の扇状領域に軽量化を図った多孔床部６ｃを設けた例について説明したが、本発明はこれに限らず、床張り部の面積を削減したものであれば任意の形状を適用できることは言うまでもない。
【００１７】
【発明の効果】
以上に述べた本発明によれば、従来低温貯槽の上部の全面に円盤状に構成されていた吊りデッキの床部構造に対して、全面床張り部を歩廊等として必要な最小限の一部分に限定し、他部分を多孔床部とすることにより、大幅に重量を軽減し、施工コストを削減することができる。
【図面の簡単な説明】
【図１】本発明による低温貯槽の吊りデッキ構造の一実施形態を示す平面図である。
【図２】図１のＩＩ−ＩＩ線に沿う断面図である。
【図３】従来の低温地下式貯槽の代表的な構造を示す縦断面図である。
【符号の説明】
１　　コンクリート製躯体
２　　保冷材
３　　メンブレン
４　　（ドーム型）屋根
５　　吊り下げ部材
６　　吊りデッキ
６ａ　放射状床部
６ｂ　環状床部
６ｃ　多孔床部
７　　保冷材
【図１】
2004068931.tif 000003
【図２】
2004068931.tif 000004
【図３】
2004068931.tif 000005